(57)【特許請求の範囲】
【請求項１】
壁裏に設置された配線・配管用ボックスの開口を壁表に臨ませるべく壁材に透孔を穿設する際に、前記透孔の中心を近傍に含んで前記壁材に予め形成された開孔の周縁部に取付けられ、
前記透孔の穿孔中心を提供し、前記透孔を穿設する穿孔具のセンター軸を位置決めする穿孔中心位置決め部と、
前記壁材の開孔の周縁部に取付けるための取付部と
を具備し、
前記取付部は、ピンで形成されたことを特徴とする穿孔具のセンター軸ガイド。
【発明の詳細な説明】
【０００１】
【発明の属する技術分野】
本発明は壁裏に設置された配線・配管用ボックスの開口を壁表に臨ませるべく壁材に穿孔するに先だって予め透孔部分の壁材に形成されている開孔の内部に穿孔具のセンター軸を位置決めするのに使用する穿孔具のセンター軸ガイドに関するものである。
【０００２】
【従来の技術】
従来より、壁裏に設置された配線・配管用ボックスの開口を壁表に臨ませるべく壁材に穿孔するには、配線・配管用ボックスに被探知部を設けておき、これを壁表から磁気探知器や金属探知器を使用して配線・配管用ボックスの位置を探知し、穿孔具を使用して所定の透孔を壁材に穿設することが行なわれている。
【０００３】
ところで、前記磁気探知や金属探知により探知された位置が探知誤差や誤探知によって透孔の穿孔中心位置が配線・配管用ボックスに対応する正確な位置からずれることがある。このため、例えば、図９に示すように、壁裏の配線用ボックス１の位置を被探知部３を介して探知した後に穿孔具３１で第一透孔２３を穿設するに先だって、事前に探知位置の壁材２１に設置位置確認用の小さい開孔である確認孔２２を穿設し、その確認孔２２を通して壁裏の配線用ボックス１の位置関係を目視によって確認することがある。
【０００４】
【発明が解決しようとする課題】
しかし、壁材２１に第一透孔２３を穿設するに先だって事前に探知位置確認のための確認孔２２を穿設したことによって、前記第一透孔２３の穿設に使用する穿孔具３１のセンター軸３２が前記確認孔２２内に位置することとなるため、センター軸３２を穿孔中心Ｃに位置決めできず、透孔を形成できないことがあった。その結果、不用意に事前の確認孔２２を形成すると穿孔具を使用して透孔を穿設できないことがあった。
【０００５】
また、建築施工においては、配線・配管用ボックスを取付ける電設業者が配線・配管作業を行なう前に、建築業者が既に壁材に配線・配管用ボックス取付位置を表示するための開口を形成していることがあり、この場合も前述の確認孔と同じく穿孔具のセンター軸を位置合わせすることができなかった。
【０００６】
そこで、本発明は、壁材に透孔を形成する前に壁裏の配線・配管用ボックスの探知位置の確認孔等の開孔が既に前記壁材に形成されている場合に、穿設具のセンター軸を確実かつ正確に位置決めできる穿孔具のセンター軸ガイドの提供を課題とするものである。
【０００７】
【課題を解決するための手段】
請求項１にかかる穿孔具のセンター軸ガイドは、壁裏に設置された配線・配管用ボックスの開口を壁表に臨ませるべく壁材に透孔を穿設する際に、前記透孔の中心を近傍に含んで前記壁材に予め形成された開孔の周縁部に取付けられるものであって、前記透孔の穿孔中心を提供し、前記透孔を穿設する穿孔具のセンター軸を位置決めする穿孔中心位置決め部と、前記壁材の開孔の周縁部に取付けるための取付部とを備え、前記取付部は、ピンで形成されたものである。
【０００８】
【発明の実施の形態】
以下、本発明の実施例を図１乃至図８に基づいて説明する。
図において、配線用ボックス１は壁材２１の裏側に設置されており、一方、前記壁材２１には磁気探知器によって探知された前記配線用ボックス１の被探知部３と対応する位置に配線用ボックス１の位置確認のための確認孔２２が形成されていて、その確認孔２２から配線用ボックス１の被探知部３の先端部が壁表に臨んでいる。第一透孔２３は前記配線用ボックス１の開口面を壁表に臨ませるべく壁表から穿設される真円形の孔であり、前記壁材２１の確認孔２２を通して前記配線用ボックス１の被探知部３を目視にて第一透孔２３の穿孔中心Ｃが正確な位置にあることを確認した後に穿設されるものである。
【０００９】
前記配線用ボックス１は、図２にも示すように、底壁２の偏心位置に被探知部３が一体に立設されており、その被探知部３は筒状体４の天端に磁石５が取付けられ、底壁２に形成された環状薄肉部２ａにおいて底壁２から折り取り可能となっている。また、配線用ボックス１内の相対向する上下両端部には図示しない配線器具取付枠を取付けるための一対のボス体６が形成されている。なお、壁材２１はベニヤ板、石膏ボード、ケイ酸カルシウム板等で形成されている。
【００１０】
一方、図１及び図３において、センター軸ガイド１１は全体が略環状体をなし、前記壁材２１に穿設された確認孔２２の周縁に取付けできるようになっている。このセンター軸ガイド１１はガイド本体１２の環状部にピン１３が挿通される複数個のピン用孔１４が円周方向に等間隔で形成されている。また、円中心部には凹部形成され、後述の穿孔具３１のセンター軸３２が位置決めとして当接する穿孔中心位置決め部１５が一体に設けられている。このセンター軸ガイド１１のガイド本体１２は合成樹脂や金属によって形成されている。そして、前記ピン１３は複数個のピン挿通孔１４に対して任意数を挿通することができ、壁材２１に対して打ち込み可能な硬度及び剛性を有する。なお、このピン１３及びピン挿通孔１４は請求項の取付部に相当するものである。
【００１１】
図１に示す穿孔具３１は、軸芯にセンター軸３２が突設されており、このセンター軸３２から所定長さ離間して一対の穿孔刃３３が取付けられている。カバー体３４は穿孔刃３３の周囲を覆い、安全性確保と削り粉受けのために設けられたものである。なお、前記センター軸３２は伸縮ばねによって突出方向に付勢され、センター軸ガイド１１と当接したときに押圧されて後退可能なものとなっている。但し、必ずしも後退可能なものに限定されるものではない。
【００１２】
次に、本実施例のセンター軸ガイドを使用して配線用ボックスの開口面を壁表に臨ませるための透孔を壁材に穿設する作業について説明する。
まず、配線用ボックス１の設置位置を確認するための確認孔２２を形成するために、予め、図４に示すように、壁表から磁気探知器３５を使用して配線用ボックス１の被探知部３の天端に取付けられた磁石５を探知し、次いで、図５において、周知の工具を使用して確認孔２２を穿設する。すると、この確認孔２２を通して被探知部３の磁石５が壁表に臨むので、壁表側から配線用ボックス１の設置位置を目視によって確認できる。
【００１３】
次に、図６及び図７に示すように、目視で確認された被探知部３の位置を考慮しながら第一透孔２３の穿孔中心Ｃを決定し、この位置にセンター軸ガイド１１の穿孔中心位置決め部１５を一致させ、ピン１３を押し込んで前記確認孔２２の周縁部における壁材２１に取付ける。そして、センター軸ガイド１１を取付けた後は、穿孔具３１のセンター軸３２を前記センター軸ガイド１１の穿孔中心位置決め部１５に当接し、壁材２１に穿設すれば、図１に示す第一透孔２３が形成される。なお、穿設時においては、センター軸ガイド１１は押圧により後退可能なセンター軸３２によって壁材２１に押圧、密接されるため、簡易なピン１３による取付けだけで穿孔時の振動による壁材２１からの脱落が防止され、安定して第一透孔２３を穿設できる。
【００１４】
次に、第一透孔２３を穿設した後は、その穿設によって壁表に臨まされたボス体６等を基準として第二透孔２４の穿孔中心を決定し、穿孔具３１を使用して第一透孔２３の上部の壁材２１に第二透孔２４を穿設する。これによって、第一透孔２３及び第二透孔２４による２個のだるま形状の透孔が形成され、配線用ボックス１の開口面の略全体を壁表に臨ませる作業が完了する。
【００１５】
なお、前記２個の透孔を形成した後は、上下一対のボス体６に図示しない配線器具取付枠を取付け、更にその前面に図示しない化粧カバーを取付けることにより、配線用ボックス１内への配線器具等の取付作業が終了する。
【００１６】
このように、本実施例の穿孔具のセンター軸ガイドは、壁裏に設置された配線用ボックス１の開口を壁表に臨ませるべく壁材２１に第一透孔２３を穿設する際に、前記第一透孔２３の中心を含んで前記壁材２１に予め形成された開孔としての確認孔２２の周縁部に取付けられるものであって、前記第一透孔２３の穿孔中心Ｃを提供し、前記第一透孔２３を穿設する穿孔具３１のセンター軸３２を位置決めする穿孔中心位置決め部１５と、前記壁材２１の確認孔２２の周縁部に取付けるための取付部としてのピン１３とを備えたものである。
【００１７】
したがって、壁材２１に透孔を形成する前に、壁裏の配線用ボックス１の探知位置を確認するための確認孔２２が既に前記壁材２１に形成され、その確認孔２２の内部に第一透孔２３の穿孔中心Ｃが位置しているとしても、前記確認孔２２に跨ってセンター軸ガイド１１を架設することにより、前記確認孔２２の開口範囲内に穿孔具３１のセンター軸３２が当接する位置決め部を設置できるので、穿設具３１のセンター軸３２を確認孔２２内に位置決めして透孔を穿設することができる。
【００１８】
また、形成した確認孔２２の中心位置がその後に形成される第一透孔２３の穿孔中心Ｃの位置からずれていても、センター軸ガイド１１の穿孔中心位置決め部１５を第一透孔２３の穿孔中心Ｃの位置に合致させて確認孔２２の周縁部にセンター軸ガイド１１を取付けることにより、壁材２１の正確な位置に第一透孔２３を穿設することができる。例えば、図８に示すように、確認孔２２の中心Ｃ１が第一透孔２３の穿孔中心Ｃから図の左下方に位置した場合であっても、その確認孔２２から臨まれる配線用ボックス１の被探知部３を目視で確認するなどによって、正確な第一透孔２３の穿孔中心Ｃを決定し、この穿孔中心Ｃにセンター軸ガイド１１の穿孔中心位置決め部１５を合致させてピン１３を打ち込んでセンター軸ガイド１１を壁材２１に取付け、これを基準として穿設すれば、配線用ボックス１に対して正確な位置に第一透孔２３を形成することができる。なお、穿孔中心Ｃは確認孔２２内にある場合に限られず、確認孔２２の外部近傍に位置するために前記確認孔２２の影響を受けてセンター軸３２を安定して位置決めできない場合にもセンター軸ガイド１１を使用して第一透孔２３を形成することもできる。
【００１９】
ところで、本発明は、例えば、配線用ボックス１を取付ける電設業者が配線作業を行なう前に、既に建築業者が壁材２１に配線用ボックス１取付位置確認のための開口を形成していることがあり、この場合も前述の確認孔２２と同じく穿孔具３１のセンター軸３２を確実かつ正確に位置合わせし、透孔を穿設することができる。
【００２０】
また、本実施例のセンター軸ガイド１１の穿孔中心位置決め部１５は、穿孔具３１のセンター軸３２が当接するものを示しているが、本実施例を実施する場合には、必ずしもこれに限定されるものではなく、穿設時の振動に対するセンター軸ガイド１１の取付強度を確保できるのであれば、センター軸３２が貫通するものであってもよい。
【００２１】
更に、上記実施例は、配線用ボックスに関するものであるが、本発明の適用対象は、壁裏に配置され、その全面を例えば壁材２１に穿孔された透孔を介して壁表に臨ませるものであればよく、配線用ボックス以外に、給排水湯管、ガス管等の配管用ボックスにも同様に適用できる。
【００２２】
【発明の効果】
以上のように、本発明の穿孔具のセンター軸ガイドは、壁裏に設置された配線・配管用ボックスの開口を壁表に臨ませるべく壁材に透孔を穿設する際に、前記透孔の中心を近傍に含んで前記壁材に予め形成された開孔の周縁部に取付けられるものであって、前記透孔の穿孔中心を提供し、前記透孔を穿設する穿孔具のセンター軸を位置決めする穿孔中心位置決め部と、前記壁材の開孔の周縁部に取付けるための取付部とを備え、前記取付部は、ピンで形成されたものである。したがって、壁材に透孔を形成する前に壁裏の配線・配管用ボックスの探知位置を確認する確認孔などの開孔が既に前記透孔形成範囲内に形成され、その内部に透孔の穿孔中心が位置しても、前記開孔の周縁部にセンター軸ガイドを架設することにより、前記開孔内に穿孔具のセンター軸が当接する位置決め部を設置できるので、穿設具のセンター軸を確実に位置決めして透孔を穿設することができる。また、開孔の中心位置がその後に形成される透孔の穿孔中心の位置からずれていても、センター軸ガイドの穿孔中心位置決め部を透孔の穿孔中心の位置に合致させて開孔の周縁部にセンター軸ガイドを取付けることにより、壁材の正確な位置に透孔を穿設することができる。
【図面の簡単な説明】
【図１】本発明の実施例の穿孔具のセンター軸ガイドを示す斜視図である。
【図２】図１の配線用ボックスを示す斜視図である。
【図３】本発明の実施例の穿孔具のセンター軸ガイドを示す斜視図である。
【図４】壁裏に設置された配線用ボックスの被探知部の位置を探知する状態を示す縦断面図である。
【図５】図４で探知した位置の壁材に確認孔を形成した状態を示す縦断面図である。
【図６】本発明の実施例の穿孔具のセンター軸ガイドを図５の確認孔に取付けた状態を示す斜視図である。
【図７】本発明の実施例の穿孔具のセンター軸ガイドを図５の確認孔に取付けた状態を示す縦断面図である。
【図８】図５の確認孔の中心位置と透孔の穿孔中心位置とがずれている状態を示す正面図である。
【図９】従来の壁材に確認孔を形成したときの透孔の穿設を示す斜視図である。
【符号の説明】
１    配線用ボックス
１１  センター軸ガイド
１３  ピン
１５  穿孔中心位置決め部
２１  壁材
２２  確認孔
２３  第一透孔
Ｃ    第一透孔の穿孔中心
【図１】
0003677611.tif 000002
【図２】
0003677611.tif 000003
【図３】
0003677611.tif 000004
【図４】
0003677611.tif 000005
【図５】
0003677611.tif 000006
【図６】
0003677611.tif 000007
【図７】
0003677611.tif 000008
【図８】
0003677611.tif 000009
【図９】
0003677611.tif 000010